(57)【特許請求の範囲】
【請求項１】
取付ベースに相対向して固定した二つの固定電極に可動電極を内蔵した閉路蓋を被冠して閉路する三相モールド型断路器において、上記取付ベースから三相のモールド型断路器の両側に突出するようにガイド体を設け、これらのガイド体の先端に門型のロックカバーの両脚部を回動自在に取付け、このロックカバーの二つの脚部に挾まれたストッパー板の一側縁に第１の段部及びこれに続き第２の段部を設け、上記固定電極に閉路蓋を被冠し上記ガイド体を回動させた際には上記第１の段部が閉路蓋の頂部にある工具係止部を係止し、また閉路蓋を外し一方の固定電極に接地工具を取付け上記ガイド体を回動させた際には上記第２の段部が当該接地工具の外端部の工具係止部を係止する構成としたことを特徴とする、閉路蓋等の防落構造。
【請求項２】
取付ベースに相対向して固定した二つの固定電極に可動電極を内蔵した閉路蓋を被冠して閉路する三相モールド型断路器において、上記取付ベースから三相のモールド型断路器の両側に突出するようにガイド体を設け、これらのガイド体の先端に門型のロックカバーの両脚部を回動自在に取付け、このロックカバーの二つの脚部に挾まれたストッパー板の一側縁に第１の段部及びこれに続き第２の段部を設け、この第２の段部の表面には三つの孔を上記三相の断路器の位置に相応して設け、上記固定電極に閉路蓋を被冠し上記ガイド体を回動させた際には上記第１の段部が閉路蓋の頂部にある工具係止部を係止し、また閉路蓋を外し一方の固定電極に接地工具を取付け上記ガイド体を回動させた際には上記第２の段部が接地工具の頂部にある工具係止部を係止し、この状態で短絡電流が流れた場合短絡電流の衝撃により上記接地工具が突出し、各工具係止部が上記第２の段部に設けた各孔に係止される構成としたことを特徴とする、閉路蓋等の防落構造。
【発明の詳細な説明】
【０００１】
【発明の属する技術分野】
この発明は、三相のモールド型断路器において閉路蓋によって回路を閉じた際の閉路蓋の防落構造、及び固定電極に接地工具を取付けた際の当該接地工具の防落構造に関するものである。
【０００２】
【従来の技術】
従来の断路器においては短絡電流が通過したり、地絡や短絡によるアークが発生した場合、爆発やその衝撃により閉路蓋が断路器から脱落したり、破損して周囲に飛び散ったりして危険である。そこで、これらの断路器は各相毎にロックカバーを設けて開閉蓋が落ちないようにしている。
【０００３】
【発明が解決しようとする課題】
しかしながら、断路器の各相別のロックカバーを設けるのはコストアップに通じる。さらにこの断路器のロックカバーおいて閉路蓋と接地工具の両方を係止、固定するのは困難であった。また三相一括で係止、固定する場合はネジ固定方式のためロックカバーの着脱が面倒であり操作性が悪かった。
【０００４】
そこで短絡電流通過や地絡及び短絡によるアークが発生し、爆発等があっても閉路蓋が脱落しないロックカバーであって、閉路蓋と接地工具の両方についても適宜係止固定できる構造とし、さらに三相のモールド型開閉器であっても費用がかからないような簡易な閉路蓋のロックカバーを提出し、上記課題を解決しようとするものである。
【０００５】
【課題を解決するための手段】
請求項１項の発明は、取付ベースに相対向して固定した二つの固定電極に可動電極を内蔵した閉路蓋を被冠して閉路する三相モールド型断路器において、上記取付ベースから三相のモールド型断路器の両側に突出するようにガイド体を設け、これらのガイド体の先端に門型のロックカバーの両脚部を回動自在に取付け、このロックカバーの二つの脚部に挾まれたストッパー板の一側縁に第１の段部及びこれに続き第２の段部を設け、上記固定電極に閉路蓋を被冠し上記ガイド体を回動させた際には上記第１の段部が閉路蓋の頂部にある工具係止部を係止し、また閉路蓋を外し一方の固定電極に接地工具を取付け上記ガイド体を回動させた際には上記第２の段部が当該接地工具の外端部の工具係止部を係止する構成とした。
【０００６】
また請求項２項の発明は、取付ベースに相対向して固定した二つの固定電極に可動電極を内蔵した閉路蓋を被冠して閉路する三相モールド型断路器において、上記取付ベースから三相のモールド型断路器の両側に突出するようにガイド体を設け、これらのガイド体の先端に門型のロックカバーの両脚部を回動自在に取付け、このロックカバーの二つの脚部に挾まれたストッパー板の一側縁に第１の段部及びこれに続き第２の段部を設け、この第２の段部の表面には三つの孔を上記三相の断路器の位置に相応して設け、上記固定電極に閉路蓋を被冠し上記ガイド体を回動させた際には上記第１の段部が閉路蓋の頂部にある工具係止部を係止し、また閉路蓋を外し一方の固定電極に接地工具を取付け上記ガイド体を回動させた際には上記第２の段部が接地工具の頂部にある工具係止部を係止し、この状態で短絡電流が流れた場合短絡電流の衝撃により上記接地工具が突出し、各工具係止部が上記第２の段部に設けた各孔に係止される構成としたものである。
【０００７】
【発明の実施の形態】
次にこの発明の実施の形態例を図について説明する。
まず図１は取付ベース１に相対向して固定した二つの固定電極２ａに、可動電極を内蔵した閉路蓋２ｂを被冠した閉路の状態の断路器２を三相並べたものである。この三相並べた各断路器２の両側に突出するようにガイド金具３を夫々取付ベース１に溶接し、これらのうちの三相の断路器２の外側両側のガイド金具３に、門型のロックカバー４がピン５で回動自在に設けられている。また図１ではこの上記閉路蓋２ｂは、当該閉路蓋２ｂの両側に設けた取付アーム６の先端が上記ガイド金具３に係止されて固定電極２ａに固定されている。
【０００８】
図２乃至図４により上記ロックカバー４を説明する。このロックカバー４は門型をしており、三相の断路器用のものであり、両方のカバーアーム４ａに挾まれた板状のストッパー板４ｂの一側縁には２つの第１の段部４ｃ及び第２の段部４ｄを有し、これらの段部４ｃ、４ｄによって図１に示す閉路蓋２ｂの工具係止部２ｃの角部、及び図１２に示す接地工具８の工具係止部８ａの角部が係止できるようになっている。そしてこの第２の段部４ｄの一側面には工具係止部８ａの外径よりもやや小さな３つの孔４ｅが長手方向に各相断路器の位置に相対向して設けられている。また２つのカバーアーム４ａの根部に設けた孔４ｆでピン５によりガイド金具３に回動自在に設けられている。また上記ストッパー板４ｂの他側縁には当該端縁を折り返して舌片４ｇを設けている。
【０００９】
次に図５乃至図７によりガイド金具３を説明する。このガイド金具３は三相の断路器用であり、取付ベース１に間隔をあけて四つ設けてある。これらの各ガイド金具３の４つの脚に沿ってその内側には閉路蓋２ｂを被冠させた際、当該閉路蓋２ｂの脱落を防止するロックバネ３ａが夫々ネジ３ｂで当該各ガイド金具３に固定されている。
【００１０】
次に図８及び図９はロックバネ３ａの詳細を示したもので、このロックバネ３ａは先端に折曲部３ｃを有する板状のもので、中央部には上記取付アーム６の下部屈曲部６ａを係止する孔３ｄを穿っており、またロックバネ３ａ自体をガイド金具３にネジ止めするため根元付近には２つの孔３ｅを設けている。
【００１１】
また図１に示すように上記閉路蓋２ｂは、中空部を有する二つの円筒部を両側に設け、これらの円筒部上部を胴部で連結し、これらの二つの円筒部の間に隙間を有するものである。また上記閉路蓋２ｂの工具係止部２ｃは、図１０に示すように両側にピン２ｄを突設した柱体２ｅを略正方形の平板２ｆの中央部に立設した形で閉路蓋２ｂの頂部中央部に設けてある。
【００１２】
図１０に示す上記取付アーム６は上記閉路蓋２ｂの工具係止部２ｃとともに閉路蓋２ｂに固定され、閉路蓋２ｂの両側に脚部を垂下している。これらの各取付アーム６の脚部の中程には切欠部６ｂを設け、またその下端の中央部には下部屈曲部６ａを設けている。
【００１３】
また図１１は、閉路蓋２ｂを固定電極２ａに被冠させた状態の詳細を示す。まず閉路蓋２ｂを、被冠する固定電極２ａの位置を合わせて降ろし、ガイド金具３とロックバネ３ａの間に取付アーム６の下部の脚部を嵌め入れる。取付アーム６の上記下部屈曲部６ａは上記ロックバネ３ａの中部の孔３ｄに入り係止される。また同時に取付アーム６の切欠部６ｂに上記ロックバネ３ａの折曲部３ｃが入る。これらにより閉路蓋２ｂは固定電極２ａにロックされて固定される。
【００１４】
そしてこの様に閉路蓋２ｂを固定電極２ａに被冠するとガイド金具３とロックバネ３ａにより係止固定されるが、さらにこの発明により三相一括してロックすることができる。上記図１では上記ロックカバー４が回動する状態を２つ示しており、二点鎖線で表したものは上部の空中で停止しているものである。また実線で表したものは閉路蓋２ｂの工具係止部２ｃの角部にロックカバー４のストッパー板４ｂの第１の段部４ｃがぴったりと係止されている状態を示す。これは使用者がストッパー板４ｂの舌片４ｇに自身の指先を掛ければ難無く行えるものである。
【００１５】
また図１２及び図１３では断路器２の回路は開放されており、上記閉路蓋２ｂは取り外されている。そして２つある固定電極２ａの上方の固定電極には開路蓋７を被冠し、他方の固定電極には接地工具８が設置されている。この場合ロックカバー４は図１における位置よりも深く回動しており、接地工具８の工具係止部８ａの角部はストッパー板４ｂに設けた第２の段部４ｄの端縁に係止されている。
【００１６】
この様な状態において接地工具８に短絡電流が流れ、この接地工具８が抜ける方向に突出しても、工具係止部８ａの角部が孔４ｅに引掛かり、ロックカバー４が上方向に回動するのを防止する為、接地工具８が脱落することはない。
【００１７】
なお上記実施の形態例において、ロックカバーのストッパーとして当該ストッパー板の長手方向全体にわたって直角の第１及び第２の段部を設けたが、これらの段部の位置や形状はこれに限るものではなく、例えば係止する工具係止部等の位置及び形状に対応したものであれば、当該係止箇所だけに上記段部を設けたものでも良く、また段部は必ずしも直角でなくとも良い。
【００１８】
また固定電極に閉路蓋を被冠固定するのに取付アーム、ガイド金具、及びガイド金具に取付けたロックバネ等を採用したが、これらはこの発明の必須要件ではない。固定電極に閉路蓋を被冠し、この上から上記ロックカバーをかけるだけのものでも良い。さらに上記実施の形態例では四つのガイド金具を使用しているが、三相の断路器の両側に設けてロックカバーを取付けられるものであればこれに限るものではなく、適宜のガイドでよい。また上記実施の形態例では、ロックカバーのストッパー板に指を掛ける等の舌片を設けているが、これらはこの発明の必須要件ではない。
【００１９】
【発明の効果】
請求項１項の発明によれば、ワンタッチ操作により簡単に、ロックカバーにより閉路蓋又は接地工具のどちらであっても確実に係止して押えることができ、夫々の脱落防止に非常に有効なものである。
【００２０】
請求項２項の発明によると、請求項１項の効果の他に、固定電極に接地工具を接続し、この接地工具の工具係止部にストッパー板の第２の段部を係止した状態で短絡電流が流れてこの衝撃で接地工具が突出しても、当該接地工具の工具係止部の角部が上記第２の段部に設けた孔に係止されるので、接地工具の突出がより確実に押えられて接地工具が脱落することがない。
【図面の簡単な説明】
【図１】この発明の実施の形態例の断路器の閉路蓋を閉じた断路器にロックカバーをかけた状態の側面説明図である。
【図２】この発明の実施の形態例のロックカバーの正面図である。
【図３】この発明の実施の形態例のロックカバーの平面図である。
【図４】この発明の実施の形態例のロックカバーの側面図である。
【図５】この発明の実施の形態例のガイド金具の正面図である。
【図６】この発明の実施の形態例のガイド金具の平面図である。
【図７】この発明の実施の形態例のガイド金具の側面図である。
【図８】この発明の実施の形態例のロックバネの正面図である。
【図９】この発明の実施の形態例のロックバネの縦断面図である。
【図１０】この発明の実施の形態例の取付アームを設けた閉路蓋の側面一部断面図である。
【図１１】この発明の実施の閉路蓋を閉じた状態の断路器の側面断面図である。
【図１２】この発明の実施の形態例の断路器を開放し、一方の固定電極には閉路蓋を被冠し、他方の固定電極には接地工具を取付け、さらにロックカバーをかけた状態の側面図である。
【図１３】この発明の実施の形態例の固定電極に設けた接地工具の工具係止部にロックカバーを係止した状態の説明図である。
【図１４】図１及び図１１の状態を夫々左右に表した正面図である。
【符号の説明】
１    取付ベース                            ２    断路器
２ａ  固定電極                              ２ｂ  閉路蓋
２ｃ  工具係止部                            ３    ガイド金具
４    ロックカバー                          ４ｂ  ストッパー板
４ｃ  第１段部                              ４ｄ  第２段部
４ｅ  孔                                    ４ｇ  舌片
７    閉路蓋                                ８    接地工具
８ａ  工具係止部
【図１】
0003592833.tif 000002
【図２】
0003592833.tif 000003
【図３】
0003592833.tif 000004
【図４】
0003592833.tif 000005
【図５】
0003592833.tif 000006
【図６】
0003592833.tif 000007
【図７】
0003592833.tif 000008
【図８】
0003592833.tif 000009
【図９】
0003592833.tif 000010
【図１０】
0003592833.tif 000011
【図１１】
0003592833.tif 000012
【図１２】
0003592833.tif 000013
【図１３】
0003592833.tif 000014
【図１４】
0003592833.tif 000015